(57)【要約】【課題】フレーム周期やシャッタ速度の自由度を保ちつつ、機械的なシャッタで撮像素子を遮光することが良好にできるようにする。【解決手段】レンズを通して入射される像光の光路に配置されて、それぞれが撮像素子への入射光を遮光する状態と遮光しない状態とを設定可能な第１及び第２のシャッタ部材３１，３２を用意する。その第１及び第２のシャッタ部材３１，３２の制御を行うシャッタ制御部で、設定された撮像タイミングに基づいて、第１のシャッタ部材３１で光路を遮光するタイミングと、第２のシャッタ部材３２で光路を遮光するタイミングを設定する構成として、撮像素子で撮像するフレームレートや露光時間が可変設定できる撮像装置に好適な構成とした。【選択図】図２
2010028484.tif 000002
【特許請求の範囲】
【請求項１】
レンズを通して入射される被写体の像光を光電変換して撮像信号を生成する撮像素子と、
前記撮像素子からの前記撮像信号の読み出しを制御し、前記撮像素子で撮像するフレーム周期を可変設定する制御を行う撮像制御部と、
前記レンズを通して入射される像光の光路に配置されて、それぞれが前記撮像素子への入射光を遮光する状態と遮光しない状態とを設定可能な第１及び第２のシャッタ部材と、
前記撮像制御部で設定されたフレーム周期と撮像タイミングに基づいて、前記第１のシャッタ部材で前記光路を遮光するタイミングと、前記第２のシャッタ部材で前記光路を遮光するタイミングを設定するシャッタ制御部とを備えた
撮像装置。
【請求項２】
前記第１及び第２のシャッタ部材は、所定の回転軸を中心として回転し、その回転で前記光路を遮光する状態と遮光しない状態とを設定できる部材であり、
前記第１のシャッタ部材で遮光する回転角度範囲と、前記第２のシャッタ部材で遮光する回転角度範囲との重なり状態を調整できる
請求項１記載の撮像装置。
【請求項３】
前記第１のシャッタ部材を回転駆動させる第１の駆動部を設けると共に、前記第１のシャッタ部材に対する前記第２のシャッタ部材の角度位置を調整する第２の駆動部を、前記第１のシャッタ部材に取り付けた
請求項２記載の撮像装置。
【請求項４】
前記第１及び第２のシャッタ部材は、それぞれ約９０°の回転角度範囲遮光する部材であり、第１のシャッタ部材と第２のシャッタ部材との重なり状態を最も開いた状態のとき、約１８０°の回転角度範囲遮光する
請求項２記載の撮像装置。
【請求項５】
前記撮像制御部は、前記第１及び第２のシャッタ部材で遮光されている期間に、前記撮像素子の各画素に受光した信号を読み出す処理を行う
請求項２記載の撮像装置。
【発明の詳細な説明】
【技術分野】
【０００１】
本発明は、ビデオカメラとして構成される撮像装置に関し、特に機械的なシャッタと電子シャッタとを組み合わせて撮像を行う撮像装置に関する。
【背景技術】
【０００２】
ＦＴ（Frame-Transfer Charge Coupled Devices）方式のＣＣＤ（Charge Coupled Devices）イメージセンサを撮像素子として採用した撮像装置においては、信号電荷の読み出し中にイメージエリア（受光部）を遮光することが行われている。また、ＣＭＯＳ（Complementary Metal Oxide Semiconductor）イメージセンサを用いた撮像装置では、信号電荷の蓄積の同時性を得る目的で、電荷の読み出し時にイメージエリアを遮光することが行われている。
【０００３】
イメージエリアを遮光する手法としては、ロータリシャッタを用いる手法が知られている。ロータリシャッタは、モータにより回転駆動されるシャッタ羽根を設け、そのシャッタ羽根を、撮像レンズと撮像素子との間の光路に配置するものである。シャッタ羽根の回転角度位置に応じて、光路を遮光する状態と、光路を遮光しない状態とが設定できる構成としてある。
そして、シャッタ羽根が光路を遮光して、撮像素子の受光部に光が入射しない状態のタイミングに、その受光部に蓄積した信号を読出すようにして、ＦＴ方式のＣＣＤイメージセンサで、受光信号の転送途中での余計な露光を防ぐ構成としてある。シャッタ羽根の回転と、撮像素子の駆動タイミングとの連動状態の詳細については、後述する実施の形態で説明する。
【０００４】
特許文献１には、固体撮像素子の撮像面への光の入射期間および遮光期間を制御するシャッタ装置についての例の記載がある。
特許文献２には、シャッタ羽根を３枚にして、遮光範囲の可変範囲を広くした例についての記載がある。
【特許文献１】特開２００６−３０８８４１号公報
【特許文献２】特開昭５４−１０８６３１号公報
【発明の開示】
【発明が解決しようとする課題】
【０００５】
ところで、１枚のシャッタ羽根を回転させて、撮像素子への遮光と露光を交互に行うようにすると、遮光するタイミングがある程度固定的に定まり、１フレームの画像信号を得るための電荷の蓄積期間であるシャッタ速度の自由度が制限される問題がある。
即ち、例えばシャッタ羽根として、その羽根の１８０°の角度範囲で遮光を行い、残りの１８０°の角度範囲で遮光しない構成として、シャッタ羽根を１フレームに１回転させた場合を想定する。このとき、１フレームで撮像素子が受光できる最大の期間は、１フレーム期間の約半分の期間となり、それよりも長い期間露光させることは不可能である。
【０００６】
シャッタ羽根が遮光する角度範囲を１８０°よりも狭くすることで、１フレーム期間内の露光期間を長くすることは可能である。しかしながら、シャッタ羽根で遮光する角度範囲を狭くすることで、１フレーム期間中で遮光される期間も対応して短くなり、撮像素子で得られた信号を読出すのに不十分な時間となってしまう可能性がある。
【０００７】
特に近年、この種のビデオカメラにおいては、可変速撮影（Variable speed ramping）と称される撮影手法で撮影が行われることが増えている。可変速撮影とは、テレビジョン放送用の映像であれば毎秒３０コマ、映画用の映像であれば毎秒２４コマ、のように毎秒一定のコマ数で撮るのではなく、滑らかにフレームレート（Frame Per Second；以下ＦＰＳと称する）を変化させながら撮影するやり方である。
【０００８】
例えば、歩く人物を可変速撮影で撮影し、再生時には一定のコマ数で再生すると、遠くを歩いているときはゆっくり歩いていた人物が、目の前で急にすばやく通り過ぎたりする等の、メリハリの利いた映像表現が可能になる。ＦＰＳの変更は、ユーザがジョグダイヤル等のＵＩ（User Interface）を操作してリアルタイムで行えるようにしてあったり、予めＦＰＳの変化曲線をプログラムしておき、それを実行する手法等も採られている。
【０００９】
このような可変速撮影を行う上では、撮像を行う周期の設定によってはシャッタ羽根が邪魔になることがあった。
【００１０】
本発明はかかる点に鑑みてなされたものであり、フレーム周期やシャッタ速度，露光時間の自由度を保ちつつ、機械的なシャッタで撮像素子を遮光することが良好にできるようにすることを目的とする。
【課題を解決するための手段】
【００１１】
本発明は、レンズを通して入射される被写体の像光を光電変換して撮像信号を生成する撮像素子と、撮像素子からの撮像信号の読み出しを制御し、撮像素子で撮像するフレーム周期を可変設定する制御を行う撮像制御部とを備えた撮像装置である。
そして、レンズを通して入射される像光の光路に配置されて、それぞれが撮像素子への入射光を遮光する状態と遮光しない状態とを設定可能な第１及び第２のシャッタ部材を用意する。その第１及び第２のシャッタ部材の制御を行うシャッタ制御部で、撮像制御部で設定された撮像タイミングに基づいて、第１のシャッタ部材で光路を遮光するタイミングと、第２のシャッタ部材で光路を遮光するタイミングを設定する構成とした。
【００１２】
このようにしたことで、シャッタ制御部での２つのシャッタ部材で光路を遮光する状態の設定により、シャッタ部材で光路を遮光する期間やタイミングを設定する場合の自由度が向上する。例えば２つのシャッタ部材でなす角度を調整して、遮光する角度を狭めることで、１フレームの撮像期間中にシャッタ部材で遮光されない期間が増え、いわゆるシャッタ速度を遅くすることが可能となる。逆に、２つのシャッタ部材でなす角度を調整して、遮光する角度を広くすることで、１フレームの撮像期間中にシャッタ部材で遮光される期間が増え、高速のシャッタ速度に対応した遮光が行えるようになる。従って、撮像素子で撮像するフレームレートや露光時間が可変設定できる撮像装置に好適である。
【発明の効果】
【００１３】
本発明によると、２つのシャッタ部材で撮像素子への光路を遮光する状態を調整できる構成としたことで、遮光時間と露光時間との比率の調整が可能となり、そのときのフレームレートやシャッタ速度などに適した状態に自在に設定することが可能となる。特に電子シャッタを併用すると、メカシャッタによる露光の同時性の恩恵を受け持つ２つのシャッタ部材の構成でも、露光開口角の調整範囲が０°〜２７０°まで広く可変できる。従来は、０°〜１８０°以上の露光開口角の調整範囲を得るためには、３つ以上のシャッタ部材が必要であったものに比べて、構成を簡単にすることができる。
このように構成を簡単にすることが可能になることで、その分、撮像装置の低コスト化、軽量化、高信頼性化が行える。さらに、回転部分の構成を簡単にして軽量化することで、回転駆動に必要な電力を低くでき、撮像装置の低消費電力化を図ることができる。さらに、フレーム周期の急激な可変にも容易に対処でき、映像表現の幅を広げることができる。
【発明を実施するための最良の形態】
【００１４】
以下、本発明の一実施の形態を、添付図面を参照して以下の順序で説明する。
１．撮像装置の全体構成例：図１
２．前提となるシャッタ機構の説明：図７〜図１０
３．本実施の形態のシャッタ機構の説明：図２〜図４
４．本実施の形態での撮像状態の例：図５，図６
５．実施の形態の変形例の説明
【００１５】
［撮像装置の全体構成例］
図１は、本実施の形態による撮像装置の構成例を示した図である。本実施の形態の撮像装置は、カメラコントロールユニット１０（以下、ＣＣＵ１０と称する）と接続してあり、撮像装置とＣＣＵ１０との間では、例えばＨＤ−ＳＤＩ（High Definition-Serial Digital Interface）の規格に基づいて映像信号や制御信号がやりとりされる。
【００１６】
そして、撮像装置で撮像を行うフレーム周期に対応したフレーム同期周波数は、ＣＣＵ１０から送信される信号によって決められる。そしてこのフレーム同期周波数は、撮像装置だけでなく、撮像装置に接続された記録再生装置や表示装置（いずれも図示略）においても統一的に使用される。
【００１７】
また、撮像素子２で撮像するフレームレート（ＦＰＳ）の情報も、ＣＣＵ１０から送信される。
フレーム同期周波数をＰ＿Ｆとすると、フレーム同期周波数Ｐ＿ＦとＦＰＳは、下記に示す関係で使用される。
Ｐ＿Ｆ≧ＦＰＳ
例えば、２４０Ｐ（240frames/s progressive）で駆動可能な撮像装置であれば、フレーム同期周波数は２４０Ｐに設定されるが、この場合、ＦＰＳの値は、ユーザによって１〜２４０Ｐまでの範囲内の任意の値に設定される。フレーム同期周波数Ｐ＿Ｆと映像信号との位相関係は、Ｐ＿Ｆ＝ＦＰＳである場合のみ一定の位相関係に固定することもできるが、それ以外の場合はロックすることができない。つまり一般に不定と考えてよく、ＦＰＳの値は、フレーム同期周波数Ｐ＿Ｆに縛られることなく、Ｐ＿Ｆを超えない範囲内で自由に設定することができる。
【００１８】
図１に示す撮像装置は、レンズ１と、レンズ１を通して入射した被写体の像光を光電変換して映像信号を生成する撮像素子２と、撮像素子２のイメージエリアを所定の間隔で開口と遮光を行うシャッタ羽根３１，３２とを備える。シャッタ羽根３１，３２としては、第１のシャッタ羽根３１と第２のシャッタ羽根３２とを備え、その２つのシャッタ羽根３１，３２で成す角度を調整できる構成としてある。
第１のシャッタ羽根３１は、第１モータ２１により回転駆動される構成としてある。第２のシャッタ羽根３２は、第２モータ２２により、第１のシャッタ羽根３１との成す角度が設定される構成としてある。各シャッタ羽根３１，３２とその周辺構成の詳細については後述する。
【００１９】
各シャッタ羽根３１，３２の回転角度位置は、シャッタ位置検出部６で検出する構成としてある。シャッタ位置検出部６は、例えば各シャッタ羽根３１，３２の周辺部に反射膜を所定のパターンで設け、その反射膜に光を照射し、照射した光の戻り光の検出で、回転角度位置を検出する。２枚のシャッタ羽根３１，３２の内で、第１のシャッタ羽根３１の回転角度位置だけを検出して、第２のシャッタ羽根３２の回転角度位置は、別のセンサや機構で検出する構成としてもよい。
第１モータ２１及び第２モータ２２の駆動は、シャッタ制御部５により制御される構成としてある。シャッタ位置検出部６で検出したシャッタ羽根３１，３２の回転角度情報は、シャッタ制御部５に供給する。
【００２０】
撮像装置はさらに、撮像素子２の動作を制御する撮像素子制御部７と、信号処理部８と、送受信部９と、シリアルＩ／Ｏ（Input/Output）エンコーダ１１と、位相比較部１２と、電圧制御発振部１３と、タイミング制御部１４を備える。撮像素子制御部７は、シャッタ制御部５から指示されたフレーム周期及びタイミングで、撮像素子２での撮像を行う。撮像素子２で得られた撮像信号は、信号処理部８に供給する。
【００２１】
信号処理部８は、撮像素子２から読み出された撮像信号に対して、各画素の信号の黒レベルを一定の基準値に固定するためのクランプ処理や、輪郭を強調する輪郭強調処理、表示デバイスのガンマ特性に合わせてガンマ値を調整するガンマ補正等の信号処理を施す。また、信号処理が施された信号は、送受信部９から所定のフォーマットの映像信号として外部に送信される。
【００２２】
信号処理部８は、これらの処理を行うモジュールの他に、撮像素子２から出力された映像信号から同期信号を分離する同期信号分離部８１と、１画面分の映像信号を蓄積するフレームメモリ８２と、ＣＣＵ１０から伝送されたリターン映像に重畳されている同期信号を分離する同期信号分離部８３とを有する。
【００２３】
同期信号分離部８１は、入力された映像信号に重畳されているＳＡＶ（Start Of Active Video）やＥＡＶ（End Of Active Video）等の同期コードを分離して同期信号を生成し、映像信号及び同期信号をフレームメモリ８２に供給する。フレームメモリ８２は、例えばアシンクロナスＦＩＦＯ（First In First Out）メモリ等で構成され、同期信号分離部８１から供給される同期信号によってフレーム同期をとりながら、映像信号の書き込みを行う。
【００２４】
一方、フレームメモリ８２からの映像信号の読み出しは、ＣＣＵ１０から供給されるフレーム同期信号に同期して行われる。映像信号読み出し時の処理の詳細については後述する。
【００２５】
送受信部９は、信号処理部８のフレームメモリ８２から出力される映像信号をＨＤ−ＳＤＩ信号等の周波数多重化信号に変換してＣＣＵ１０に伝送するとともに、ＣＣＵ１０から伝送された周波数多重化信号をエンコードする処理を行う。エンコードして得た映像信号は同期信号分離部８３に出力し、ＦＰＳ情報等が記載されたシリアルデータはシリアルＩ／Ｏエンコーダ１１に出力する。シリアルＩ／Ｏエンコーダ１１は、入力されたシリアルデータをその情報を必要とするモジュールに書き込む。シリアルデータとしてＦＰＳ情報が伝送された場合には、ＦＰＳ情報をシャッタ制御部５に供給する。
【００２６】
同期信号分離部８３は、映像信号に重畳されたＳＡＶやＥＡＶ等の同期コードを分離して水平同期信号Ｈとフレーム同期信号Ｆを抽出し、抽出した水平同期信号Ｈはタイミング制御部１４と位相比較部１２に、フレーム同期信号Ｆはタイミング制御部１４に出力する。タイミング制御部１４は、同期信号分離部８３から供給された水平同期信号Ｈと同じ周期の自走水平同期信号ＰＨを生成して位相比較部１２に出力する。
【００２７】
位相比較部１２は、同期信号分離部８３から入力された水平同期信号Ｈと、タイミング制御部１４から入力された自走水平同期信号ＰＨとの位相差を検出して、検出した位相差に応じた電圧を生成して電圧制御発振部１３に供給する。電圧制御発振部１３は、供給された電圧に応じて発振周波数を変化させることにより、同期信号分離部８３から入力された水平同期信号Ｈと自走水平同期信号ＰＨとの位相差がなくなるように調整する。そして、水平同期信号Ｈに位相がロックした発振周波数を有するシステムクロックＣＫを、タイミング制御部１４やフレームメモリ８２、シャッタ制御部５に出力する。
【００２８】
タイミング制御部１４には、同期信号分離部８３で分離されたフレーム同期信号Ｆも入力される。つまりタイミング制御部１４は、ＣＣＵ１０から伝送された水平同期信号Ｈに同期しているとともに、フレーム同期信号Ｆにも同期して動作する。そして、位相を調整した水平同期信号ＰＬＨとフレーム同期信号ＰＬＦを、フレームメモリ８２やシャッタ制御部５に供給する。
【００２９】
［前提となるシャッタ機構の説明］
次に、図１に示したシャッタ羽根３１，３２の構成について説明する前に、２つのシャッタ羽根を使ってこの種の撮像装置の撮像を制御する場合の前提構成について、図７〜図１０を参照して説明する。
図７は、この種のシャッタ羽根を２枚で構成させた場合の一般的な構成例である。
即ち、それぞれ半円形状（つまり遮光角度１８０°）の第１のシャッタ羽根１１０と第２のシャッタ羽根１２０とを用意して、それぞれのシャッタ羽根１１０，１２０の中心部１１１，１２１を回転軸に挿通させて、図示しないモータにより回転駆動させる。２枚の羽根１１０，１２０での成す角度は調整可能とする。
【００３０】
このように構成したシャッタ羽根１１０，１２０で遮光角度と開口角度を可変した例を図８に示す。なお、図８では説明のために２枚のシャッタ羽根１１０，１２０を若干ずらして示してあるが、実際には同軸上に配置される。
図８（ａ）は、２枚のシャッタ羽根１１０，１２０を同じ角度範囲となるように重ねた例である。この状態で、２枚のシャッタ羽根１１０，１２０を回転駆動させることで、開口角度θＯＰ＝１８０°で回転する。開口角度θＯＰ＝１８０°であるので、シャッタ羽根が１回転する間に、半分の期間が開口し、残りの半分の期間が遮光されることになる。この図８（ａ）に示す状態が、最も開口率が高い状態である。
【００３１】
図８（ｂ）は、２枚のシャッタ羽根１１０，１２０を９０°だけ重ねた例である。この状態で、２枚のシャッタ羽根１１０，１２０を回転駆動させることで、開口角度θＯＰ＝９０°で回転する。開口角度θＯＰ＝９０°であるので、シャッタ羽根が１回転する間に、１／４の期間が開口し、残りの３／４の期間が遮光されることになる。
【００３２】
図８（ｃ）は、２枚のシャッタ羽根１１０，１２０を完全に開いた状態とした例である。この状態で、２枚のシャッタ羽根１１０，１２０を回転駆動させることで、開口角度θＯＰ＝０°で回転する。開口角度θＯＰ＝０°であるので、シャッタ羽根で完全に遮光されることになる。
【００３３】
図９は、この図７及び図８に示した２枚のシャッタ羽根１１０，１２０を、撮像素子２の手前の光路に配置して撮像する際のタイミングを示した図である。この図９の例は、フレームレート（ＦＰＳ）を６０としてある。
図９（ａ）では、２枚のシャッタ羽根１１０，１２０を図８（ａ）に示すように同じ角度範囲となるように重ねて、開口角度θＯＰ＝１８０°として、撮像素子で１フレーム撮像するごとにシャッタ羽根１１０，１２０を１回転させた例である。この図９（ａ）の例では、１フレーム期間（１／６０秒）の内の半分の１／１２０秒が遮光期間であり、残りの半分の１／１２０秒が撮像素子への露光期間となる。
【００３４】
図９（ｂ）では、２枚のシャッタ羽根１１０，１２０を図８（ｂ）に示すように設定して、開口角度θＯＰ＝９０°として、撮像素子で１フレーム撮像するごとにシャッタ羽根１１０，１２０を１回転させた例である。この図９（ｂ）の例では、１フレーム期間（１／６０秒）の内の３／４の１／８０秒が遮光期間であり、残りの１／４が撮像素子への露光期間となる。
【００３５】
図９（ｃ）では、２枚のシャッタ羽根１１０，１２０を図８（ｃ）に示すように設定して、開口角度θＯＰ≒０°（ここでは０°に近い状態を示す）として、撮像素子で１フレーム撮像するごとにシャッタ羽根１１０，１２０を１回転させた例である。この図９（ｃ）の例では、１フレーム期間の末尾で少しだけ露光させて、残りを遮光させてあり、非常に高速な電子シャッタとした例である。
【００３６】
撮像素子からの撮像信号の読出しについては、図９（ｄ）に示すように、いずれの遮光期間を設定した場合でも、１フレーム期間の前半の１／１２０秒の間に行って、遮光期間に読出すようにする。
【００３７】
図１０は、この図７及び図８に示した２枚のシャッタ羽根１１０，１２０を、撮像素子２の手前の光路に配置して撮像する際のタイミングを、フレームレート（ＦＰＳ）３０で示した図である。
図１０（ａ）は開口角度θＯＰ＝１８０°とした例である。この図１０（ａ）の例では、１フレーム期間（１／３０秒）の内の半分の１／６０秒が遮光期間であり、残りの半分の１／６０秒が撮像素子への露光期間となる。
【００３８】
図１０（ｂ）は開口角度θＯＰ＝９０°とした例である。この図１０（ｂ）の例では、１フレーム期間（１／３０秒）の内の３／４の１／４０秒が遮光期間であり、残りの１／４が撮像素子への露光期間となる。
【００３９】
図１０（ｃ）は開口角度θＯＰ≒０°とした例である。この図１０（ｃ）の例では、１フレーム期間の末尾で少しだけ露光させて、残りを遮光させてあり、非常に高速な電子シャッタとした例である。
【００４０】
撮像素子からの撮像信号の読出しについては、図１０（ｄ）に示すように、いずれの遮光期間を設定した場合でも、１フレーム期間の前半の１／１２０秒の間に行って、遮光期間に読出すようにする。
【００４１】
このように、それぞれが１８０°の遮光角のシャッタ羽根１１０，１２０を用意して、その２枚のシャッタ羽根１１０，１２０で成す角度を調整して撮像を行った場合には、最も開口率を高くした図９（ａ）及び図１０（ａ）の状態でも、開口率が５０％である。従って、ＦＰＳ６０のときで、１フレームの露光時間が１／１２０秒が最も低速のシャッタ速度であり、ＦＰＳ３０のときで、１フレームの露光時間が１／６０秒が最も低速のシャッタ速度であり、十分な露光時間であるとは言えない。
このような問題を解決するためには、例えば、特許文献２に記載のように、シャッタ羽根をさらに増やして３枚にして、その３枚のシャッタ羽根の回転周期を制御して、遮光期間を調整するようにすることが考えられる。しかしながら、シャッタ羽根の枚数を増やすと、機構が複雑化して好ましくない。
本実施の形態では、この点を解決したシャッタ羽根を備えた撮像装置を提案するものである。
【００４２】
［本実施の形態のシャッタ機構の説明］
次に、図１に示した撮像装置に組み込んだ本実施の形態のシャッタ機構の詳細について、図２〜図４を参照して説明する。
図２は、本実施の形態の構成のシャッタ羽根３１，３２を、光路に配置した状態を示した図である。本例の２枚のシャッタ羽根３１，３２は、それぞれの遮光角度を９０°としてある。
図２に示すように、第１のシャッタ羽根３１は、第１モータ２１と回転軸２３を介して回転中心３１ａが接続してあり、この第１モータ２１により回転駆動される。第１のシャッタ羽根３１には、第２モータ２２が取付けてある。この第２モータ２２には、回転軸２４を介して第２のシャッタ羽根３２の回転中心３２ａが接続してある。回転軸２３と回転軸２４とは、同軸状に配置してある。
第１モータ２１については、例えば電圧の印加で回転するモータとしてあり、第１のシャッタ羽根３１及びその第１のシャッタ羽根３１に取付けられた第２のシャッタ羽根３２を回転駆動させる。第２モータ２２は、例えばステッピングモータとして、印加された信号に対応した角度だけ回転して、第１のシャッタ羽根３１に対する第２のシャッタ羽根３２の角度位置を調整する。
【００４３】
２枚のシャッタ羽根３１，３２は、図２に示すように、レンズ鏡筒１の後端部と撮像素子２の受光面との間の光路を、それぞれの羽根３１，３２が回転で通過することで遮光し、羽根３１，３２が光路に位置しないとき、開口状態となって撮像素子２が露光される。
【００４４】
図３は、２枚のシャッタ羽根３１，３２を分解して示した図であり、それぞれのシャッタ羽根３１，３２の回転中心３１ａ，３２ａを離して示してある。
第１のシャッタ羽根３１は、遮光角度θ１を９０°とした１／４の円形状である。第２のシャッタ羽根３２についても、遮光角度θ２を９０°とした１／４の円形状である。
【００４５】
このように構成した本例のシャッタ羽根３１，３２で遮光角度と開口角度を可変した例を図４に示す。この遮光角度と開口角度を可変させる処理は、図１に示したシャッタ制御部５が、第２モータ２２の駆動を制御することで行われる。なお、図４では説明のために２枚のシャッタ羽根３１，３２を若干ずらして示してあるが、実際には同軸上に重ねて配置される。
図４（ａ）は、２枚のシャッタ羽根３１，３２を同じ角度範囲となるように重ねた例である。この状態で、２枚のシャッタ羽根３１，３２を回転駆動させることで、開口角度θＯＰ＝２７０°で回転する。開口角度θＯＰ＝２７０°であるので、シャッタ羽根が１回転する間に、３／４の期間が開口し、残りの１／４の期間が遮光されることになる。この図４（ａ）に示す状態が、最も開口率が高い状態である。
【００４６】
図４（ｂ）は、２枚のシャッタ羽根３１，３２の一部を重ねて、開口角度θＯＰ＝２２５°とした例である。開口角度θＯＰ＝２２５°であるので、シャッタ羽根が１回転する間に、５／８の期間が開口し、残りの３／８の期間が遮光されることになる。
【００４７】
図４（ｃ）は、２枚のシャッタ羽根３１，３２を完全に開いた状態とした例である。この状態で、２枚のシャッタ羽根３１，３２を回転駆動させることで、開口角度θＯＰ＝１８０°で回転する。開口角度θＯＰ＝１８０°であるので、シャッタ羽根が１回転する間に、１／２の期間が開口し、残りの１／２の期間が遮光されることになる。
【００４８】
［本実施の形態での撮像状態の例］
次に、この図２〜図４に示した構成のシャッタ羽根３１，３２が組み込まれた、図１の構成の撮像装置での撮像動作例を、図５及び図６を参照して説明する。
図５及び図６は、シャッタ羽根３１，３２を１フレームに１回転の周期で回転させた場合の例である。
図５は、フレーム周波数であるＦＰＳを３０として、シャッタ羽根３１，３２の開口角度θＯＰ＝２７０°とした場合の例である。図５（ａ）に示すように、各フレーム期間の最初の１／１２０秒間が、シャッタ羽根３１，３２による遮光期間となり、残りの１／４０秒間が、光路を塞がない露光期間となる。
【００４９】
図５（ｂ）〜（ｅ）は、このシャッタ羽根３１，３２の回転で設定可能な、撮像素子での電子シャッタ制御状態の例を示したものである。即ち、図１に示した撮像素子２は、各フレームでの露光を開始するタイミングを撮像素子制御部７から指令することで、受光信号を蓄積する期間を制御可能としてある。このような制御による処理は電子シャッタと呼ばれている。
図５（ｂ）〜（ｅ）に示したパルスは、いずれも露光の開始を指示するパルスであり、それ以前に撮像素子２に蓄積された信号は捨てられ、この露光の開始を指示するパルスが供給されたタイミングから、各フレーム期間の末尾までが露光期間となる。各フレーム期間に蓄積した信号は、図５（ｆ）に示す次のフレーム期間の先頭部分のイメージャ読み出し期間内に、各水平ラインごとに順に読み出す処理が行われる。このイメージャ読み出し期間は、図５（ａ）に示したシャッタ羽根３１，３２で撮像素子が遮光される期間内に設定してある。
【００５０】
各電子シャッタのタイミング設定状態について説明すると、図５（ｂ）に示すように、１フレーム期間の撮像素子での露光率を３／４とすると、露光開始パルスは、シャッタ羽根３１，３２による遮光が終了したタイミングで発生する。この場合の１フレームの露光時間は１／４０秒となり、１／４０秒の電子シャッタが設定された状態である。
図５（ｃ）は、１フレーム期間の露光率を１／２に設定した例である。この場合には、露光開始パルスは、各フレーム期間の開始から１／６０秒経過したタイミングで発生する。この場合の１フレームの露光時間は１／６０秒となり、１／６０秒の電子シャッタが設定された状態である。
図５（ｄ）は、１フレーム期間の露光率を３／４に設定した例である。この場合には、露光開始パルスは、各フレーム期間の開始から１／４０秒経過したタイミングで発生する。この場合の１フレームの露光時間は１／１２０秒となり、１／１２０秒の電子シャッタが設定された状態である。
図５（ｅ）は、１フレーム期間の露光率を０に近い状態に設定した例である。この場合には、露光開始パルスは、各フレーム期間の開始から約１／３０秒経過したタイミングで発生して、非常に短い露光期間を設定する。この場合には、非常に高速の電子シャッタが設定された状態である。
【００５１】
図６は、フレーム周波数であるＦＰＳを６０として、シャッタ羽根３１，３２の開口角度θＯＰ＝１８０°とした場合の例である。図６（ａ）に示すように、各フレーム期間の最初の１／１２０秒間が、シャッタ羽根３１，３２による遮光期間となり、残りの１／１２０秒間が、光路を塞がない露光期間となる。
【００５２】
図６（ｂ）〜（ｄ）は、このシャッタ羽根３１，３２の回転で設定可能な、撮像素子での電子シャッタ制御状態の例を示したものである。
図６（ｂ）〜（ｄ）に示したパルスは、いずれも露光の開始を指示するパルスであり、この露光の開始を指示するパルスが供給されたタイミングから、各フレーム期間の末尾までが露光期間となる。各フレーム期間に蓄積した信号は、図６（ｅ）に示す次のフレーム期間の先頭部分のイメージャ読み出し期間内に、各水平ラインごとに順に読み出す処理が行われる。このイメージャ読み出し期間は、図６（ａ）に示したシャッタ羽根３１，３２で撮像素子が遮光される期間内に設定してある。
【００５３】
各電子シャッタのタイミング設定状態について説明すると、図６（ｂ）に示すように、１フレーム期間の撮像素子での露光率を１／２とすると、露光開始パルスは、シャッタ羽根３１，３２による遮光が終了したタイミングで発生する。この場合の１フレームの露光時間は１／１２０秒となり、１／１２０秒の電子シャッタが設定された状態である。
図６（ｃ）は、１フレーム期間の露光率を１／４に設定した例である。この場合には、露光開始パルスは、各フレーム期間の開始から１／８０秒経過したタイミングで発生する。この場合の１フレームの露光時間は１／２４０秒となり、１／２４０秒の電子シャッタが設定された状態である。
図６（ｄ）は、１フレーム期間の露光率を０に近い状態に設定した例である。この場合には、露光開始パルスは、各フレーム期間の開始から約１／６０秒経過したタイミングで発生して、非常に短い露光期間を設定する。この場合には、非常に高速の電子シャッタが設定された状態である。
【００５４】
これらの図５及び図６から判るように、本例のシャッタ羽根３１，３２を用意して、その２枚のシャッタ羽根３１，３２で成す角度を調整することで、設定可能なフレームレートと電子シャッタ速度の自由度が向上する。即ち、比較的低速のフレームレートとしたときには、例えば図５に示したように２枚のシャッタ羽根３１，３２を重ねて開口角を広くする（例えば２７０°にする）ことで、最低のシャッタ速度を比較的低速に設定できるようになる。
【００５５】
一方、比較的高速のフレームレートを設定した場合には、２枚のシャッタ羽根３１，３２で成す角度を広くすることで、シャッタ羽根による遮光期間中に、撮像素子からの信号の読出しを行う期間を比較的長く確保することができ、高速のフレームレートにも対応可能となる。
【００５６】
このように本実施の形態によるそれぞれが角度９０°の２枚のシャッタ羽根３１，３２を用意して、その２枚のシャッタ羽根３１，３２で成す角度を調整可能としたことで、電子シャッタ速度の自由度と、フレームレートの可変の双方に対処できる。従って、フレームレート可変機能を備えた撮像装置において、機械的な回転シャッタを設けることが、良好に行えるという効果を有する。図７に示した半円形の２枚のシャッタ羽根では不可能な電子シャッタ速度がそれぞれのフレームレートで可能になったことが、この図７の場合の動作例と比較することで判る。
本実施の形態の場合には、２枚のシャッタ羽根３１，３２による簡単な構成で、露光開口角の調整範囲が０°〜２７０°まで広く可変できる。従来は、０°〜１８０°以上の露光開口角の調整範囲を得るためには、特許文献２などに記載のように、３つ以上のシャッタ部材が必要であったが、より簡単な構成で露光開口角の調整範囲を広くすることができる効果を有する。このように構成を簡単にすることが可能になることで、その分、撮像装置の低コスト化、軽量化、高信頼性化が行える。さらに、回転部分の構成を簡単にして軽量化することで、回転駆動に必要な電力を低くでき、撮像装置の低消費電力化を図ることができる。さらに、フレーム周期の急激な可変にも容易に対処でき、映像表現の幅を広げることができる。
【００５７】
［変形例の説明］
なお、上述した実施の形態では、２枚のシャッタ羽根として、それぞれが１／４（即ち９０°）の円で構成されるようにしたが、その他の類似した角度や形状で構成してもよい。２枚のシャッタ羽根の形状が、図３のように完全に同一形状でなくてもよい。
また、上述した実施の形態では、第１のシャッタ羽根上に、第２のシャッタ羽根の角度を決めるモータを配置した構成としたが、その他の構成で、２枚のシャッタ羽根の間の成す角度を調整できるようにしてもよい。
さらに、図５や図６に示した駆動例は、それぞれ好適な例を示したものであり、その他のフレームレートや電子シャッタ速度などを設定してもよい。
【図面の簡単な説明】
【００５８】
【図１】本発明の一実施の形態によるシステムの構成例を示すブロック図である。
【図２】本発明の一実施の形態によるシャッタ羽根の構成例を示す説明図である。
【図３】本発明の一実施の形態によるシャッタ羽根を分解して示す説明図である。
【図４】本発明の一実施の形態による２枚のシャッタ羽根により成す角度の例を示す説明図である。
【図５】本発明の一実施の形態による撮像タイミングの例（ＦＰＳ＝３０、θ＝２７０°）を示すタイミング図である。
【図６】本発明の一実施の形態による撮像タイミングの例（ＦＰＳ＝６０、θ＝１８０°）を示すタイミング図である。
【図７】本発明の前提構成のシャッタ羽根の例を示す説明図である。
【図８】図７のシャッタ羽根により成す角度の例を示す説明図である。
【図９】図７の構成例による撮像タイミングの例（ＦＰＳ＝６０、θ＝１８０°）を示すタイミング図である。
【図１０】図７の構成例による撮像タイミングの例（ＦＰＳ＝３０、θ＝１８０°）を示すタイミング図である。
【符号の説明】
【００５９】
１…レンズ、２…撮像素子、３…ロータリシャッタ、４…シャッタ駆動モータ、５…シャッタ制御部、６…シャッタ位置検出部、７…撮像素子制御部、８…信号処理部、９…送受信部、１０…カメラコントロールユニット、１１…シリアルＩ／Ｏエンコーダ、１２…位相比較部、１３…電圧制御発振部、１４…タイミング制御部、２１…第１モータ、２２…第２モータ、２３，２４…回転軸、３１…第１シャッタ羽根、３２…第２シャッタ羽根、８１…同期信号分離部、８２…フレームメモリ、８３…同期信号分離部
【図１】
2010028484.tif 000003
【図２】
2010028484.tif 000004
【図３】
2010028484.tif 000005
【図４】
2010028484.tif 000006
【図５】
2010028484.tif 000007
【図６】
2010028484.tif 000008
【図７】
2010028484.tif 000009
【図８】
2010028484.tif 000010
【図９】
2010028484.tif 000011
【図１０】
2010028484.tif 000012